(57)【要約】【課題】磁気カードへの処理が妨害磁界の影響を受けることを避ける。【解決手段】挿入された磁気カードの処理を行うカードリーダ１００であって、磁気カードの挿入口付近に設けられ、磁気カードの挿入を検知するフロントセンサ１１０と、磁気カードの挿入が完了したときに磁気カードを検知するリアセンサ１２０と、磁気カードの挿入口付近で磁界を発生させる磁界発生部１４０と、磁界発生部１４０が発生させる磁界の強度を、第１の強度と第２の強度とに制御する制御部１３０とを有し、制御部１３０は、リアセンサ１２０が磁気カードを検知した後、リアセンサ１２０が磁気カードを検知しなくなってから第１の期間が経過するまでの間、磁界発生部１４０が発生させる磁界の強度を第２の強度に制御する。【選択図】図１
2020113357.tif 000002
【特許請求の範囲】
【請求項１】
挿入された磁気カードから情報を読み取り、該磁気カードへ情報を書き込む磁気記録媒体処理装置であって、
前記磁気カードの挿入口付近に設けられ、前記磁気カードの挿入を検知する第１の検知部と、
前記磁気カードの挿入が完了したときに前記磁気カードを検知する第２の検知部と、
前記磁気カードの挿入口付近で磁界を発生させる磁界発生部と、
前記磁界発生部が発生させる磁界の強度を、第１の強度と該第１の強度よりも強度の弱い第２の強度とに制御する制御部とを有し、
前記制御部は、前記第２の検知部が前記磁気カードを検知した後、前記第２の検知部が前記磁気カードを検知しなくなってから第１の期間が経過するまでの間、前記磁界発生部が発生させる磁界の強度を前記第２の強度に制御する磁気記録媒体処理装置。
【請求項２】
請求項１に記載の磁気記録媒体処理装置において、
前記制御部は、前記磁気カードが挿入されるまでは、前記磁界発生部が発生させる磁界の強度を前記第１の強度に制御し、前記磁気カードが挿入されて前記第１の検知部が前記磁気カードを検知すると、該検知から第２の期間が経過するまでの間、前記磁界発生部が発生させる磁界の強度を前記第２の強度に制御する磁気記録媒体処理装置。
【請求項３】
請求項１または請求項２に記載の磁気記録媒体処理装置において、
前記制御部は、前記第１の検知部が前記磁気カードを検知した後、前記第２の検知部が前記磁気カードを検知すると、前記磁界発生部が発生させる磁界の強度を前記第１の強度に制御する磁気記録媒体処理装置。
【請求項４】
請求項３に記載の磁気記録媒体処理装置において、
前記制御部は、前記第２の検知部が前記磁気カードを検知してから第３の期間が経過するまでの間に前記第１の検知部が前記磁気カードを検知した場合、前記磁界発生部が発生させる磁界の強度を前記第２の強度に制御する磁気記録媒体処理装置。
【請求項５】
請求項１から４のいずれか１項に記載の磁気記録媒体処理装置において、
前記制御部は、前記第２の検知部が前記磁気カードを検知した後、前記第２の検知部が前記磁気カードを検知しなくなってから前記第１の検知部が前記磁気カードを検知すると、前記第１の検知部が前記磁気カードを検知しなくなるまで、前記磁界発生部が発生させる磁界の強度を前記第２の強度に制御する磁気記録媒体処理装置。
【請求項６】
請求項１から５のいずれか１項に記載の磁気記録媒体処理装置において、
前記第１の検知部が前記磁気カードを検知する位置と、前記第２の検知部が前記磁気カードを検知する位置との間の距離は、前記磁気カードの挿入方向の長さと同じである磁気記録媒体処理装置。
【請求項７】
請求項１から６のいずれか１項に記載の磁気記録媒体処理装置において、
当該磁気記録媒体処理装置は、前記磁気カードが手動で挿入され、手動で抜き出される磁気記録媒体処理装置。
【請求項８】
磁気カードの挿入口付近にて前記磁気カードの挿入を検知する処理と、
前記磁気カードの挿入が完了したときに前記磁気カードを検知可能な挿入完了位置にて前記磁気カードを検知する処理と、
前記磁気カードの挿入口付近で磁界を発生させる処理と、
前記発生させる磁界の強度を、第１の強度と該第１の強度よりも強度の弱い第２の強度とに制御する処理と、
前記挿入完了位置にて前記磁気カードを検知した後、前記挿入完了位置にて前記磁気カードを検知しなくなってから第１の期間が経過するまでの間、前記発生させる磁界の強度を前記第２の強度に制御する処理とを行う制御方法。
【発明の詳細な説明】
【技術分野】
【０００１】
本発明は、磁気記録媒体処理装置および制御方法に関する。
【背景技術】
【０００２】
近年、キャッシュカード等の磁気カードに記録されている情報を詐取するスキミングと言われる犯罪が増えている。そのスキミングへの対応策として、磁気記録媒体処理装置であるカードリーダのカード挿入口に妨害磁界を発生させる技術が導入されている。そのため、磁気カードの挿入を正確に検知する必要があるが、カードリーダには、挿入される磁気カードのサイズが均一でなかったり、一部が欠損していたりしているといった、異型のカードが挿入されるケースがある。そのような異型のカードの挿入を判定するために、搬送されるカードがセンサを通過する通過時間を測定し、測定された通過時間に基づいて、カードの挿入を判定する技術が考えられている（例えば、特許文献１参照。）。
【先行技術文献】
【特許文献】
【０００３】
【特許文献１】特開平５−１１４０５６号公報
【発明の概要】
【発明が解決しようとする課題】
【０００４】
上述した技術においては、磁気カードが手動で挿入される磁気記録媒体処理装置では、搬送速度とカードのサイズとの関係が定まらず、サイズが異なる磁気カードや、その一部が欠損している磁気カードを検出することが困難である。磁気記録媒体処理装置が、磁気カードを検出できないと、挿入されたカードを見失うおそれがあり、その結果、磁気カードへの処理が妨害磁界の影響を受けてしまうおそれがある。
【０００５】
本発明の目的は、磁気カードへの処理が妨害磁界の影響を受けることを避けることができる磁気記録媒体処理装置および制御方法を提供することである。
【課題を解決するための手段】
【０００６】
上記課題を解決するため、本発明の磁気記録媒体処理装置は、挿入された磁気カードから情報を読み取り、該磁気カードへ情報を書き込む磁気記録媒体処理装置であって、
前記磁気カードの挿入口付近に設けられ、前記磁気カードの挿入を検知する第１の検知部と、
前記磁気カードの挿入が完了したときに前記磁気カードを検知する第２の検知部と、
前記磁気カードの挿入口付近で磁界を発生させる磁界発生部と、
前記磁界発生部が発生させる磁界の強度を、第１の強度と該第１の強度よりも強度の弱い第２の強度とに制御する制御部とを有し、
前記制御部は、前記第２の検知部が前記磁気カードを検知した後、前記第２の検知部が前記磁気カードを検知しなくなってから第１の期間が経過するまでの間、前記磁界発生部が発生させる磁界の強度を前記第２の強度に制御することを特徴とする。
【０００７】
本発明の磁気記録媒体処理装置では、第２の検知部が磁気カードを検知しなくなってから所定の期間が経過するまでの間は、磁界発生部が発生させる磁界の強度を弱いものに制御する。そのため、本発明では、磁気カードへの処理が妨害磁界の影響を受けることを避けることができる。
【０００８】
本発明において、磁気記録媒体処理装置は、前記制御部は、前記磁気カードが挿入されるまでは、前記磁界発生部が発生させる磁界の強度を前記第１の強度に制御し、前記磁気カードが挿入されて前記第１の検知部が前記磁気カードを検知すると、該検知から第２の期間が経過するまでの間、前記磁界発生部が発生させる磁界の強度を前記第２の強度に制御する。この場合には、磁気カードを磁気記録媒体処理装置に挿入する際にも磁気カードからの情報の読み出しや磁気カードへの情報の書き込みを正確に行うことができる。
【０００９】
本発明において、磁気記録媒体処理装置は、前記制御部は、前記第１の検知部が前記磁気カードを検知した後、前記第２の検知部が前記磁気カードを検知すると、前記磁界発生部が発生させる磁界の強度を前記第１の強度に制御する。この場合には、磁気カードからの情報の詐取を防御することができ、セキュリティ性を高めることができる。
【００１０】
本発明において、磁気記録媒体処理装置は、前記制御部は、前記第２の検知部が前記磁気カードを検知してから第３の期間が経過するまでの間に前記第１の検知部が前記磁気カードを検知した場合、前記磁界発生部が発生させる磁界の強度を前記第２の強度に制御する。この場合には、第２の検知部が磁気カードを検知してから第３の期間が経過しても第１の検知部が磁気カードを検知しない場合であっても、磁気カードからの情報の詐取を防御することができ、セキュリティ性を高めることができる。
【００１１】
本発明において、磁気記録媒体処理装置は、前記制御部は、前記第２の検知部が前記磁気カードを検知した後、前記第２の検知部が前記磁気カードを検知しなくなってから前記第１の検知部が前記磁気カードを検知すると、前記第１の検知部が前記磁気カードを検知しなくなるまで、前記磁界発生部が発生させる磁界の強度を前記第２の強度に制御する。この場合には、磁気記録媒体処理装置から磁気カードが完全に引き抜かれるまでの間、妨害磁界の影響を受けることなく、磁気カードへの処理を行うことができる。
【００１２】
本発明において、磁気記録媒体処理装置は、前記第１の検知部が前記磁気カードを検知する位置と、前記第２の検知部が前記磁気カードを検知する位置との間の距離は、前記磁気カードの挿入方向の長さと同じである。この場合には、妨害磁界を強度の弱いものに制御する期間を最低限に設定することができる。
【００１３】
本発明において、磁気記録媒体処理装置は、前記磁気カードが手動で挿入され、手動で抜き出される。この場合には、情報読取装置への媒体の挿入が、媒体挿入の搬送速度と媒体のサイズとの関係が一定ではないような、手動で行われた場合に、媒体の見失いを防止することができる。
【００１４】
上記課題を解決するため、本発明の制御方法は、磁気カードの挿入口付近にて前記磁気カードの挿入を検知する処理と、
前記磁気カードの挿入が完了したときに前記磁気カードを検知可能な挿入完了位置にて前記磁気カードを検知する処理と、
前記磁気カードの挿入口付近で磁界を発生させる処理と、
前記発生させる磁界の強度を、第１の強度と該第１の強度よりも強度の弱い第２の強度とに制御する処理と、
前記挿入完了位置にて前記磁気カードを検知した後、前記挿入完了位置にて前記磁気カードを検知しなくなってから第１の期間が経過するまでの間、前記発生させる磁界の強度を前記第２の強度に制御する処理とを行うことを特徴とする。
【００１５】
本発明の制御方法では、第２の検知部が磁気カードを検知しなくなってから所定の期間が経過するまでの間は、磁界発生部が発生させる磁界の強度を弱いものに制御する。そのため、本発明では、磁気カードへの処理が妨害磁界の影響を受けることを避けることができる。
【発明の効果】
【００１６】
以上説明したように、本発明においては、磁気カードへの処理が妨害磁界の影響を受けることを避けることができる。
【図面の簡単な説明】
【００１７】
【図１】本発明の磁気記録媒体処理装置の実施の一形態を示す図である。
【図２】図１に示したカードリーダの外観の一例を示す図である。
【図３】図１に示したカードリーダにおける制御方法の一例を説明するためのフローチャートである。
【発明を実施するための形態】
【００１８】
以下に本発明の実施の形態について図面を参照して説明する。
【００１９】
図１は、本発明の磁気記録媒体処理装置の実施の一形態を示す図である。本形態における磁気記録媒体処理装置であるカードリーダ１００は図１に示すように、フロントセンサ１１０と、リアセンサ１２０と、制御部１３０と、磁界発生部１４０とを有する。なお、図１には本発明の磁気記録媒体処理装置が具備する構成要素のうち、本形態における主要な構成要素のみを示している。カードリーダ１００は、手動で挿入された媒体である磁気カードから、磁気カードに書き込まれた情報を読み取り、磁気カードへ情報を書き込む磁気記録媒体処理装置である。媒体は手動でカードリーダ１００から抜き出される。
【００２０】
フロントセンサ１１０は、カードリーダ１００の磁気カードの挿入口付近に設けられ、磁気カードを検知する第１の検知部である。フロントセンサ１１０は、カードリーダ１００へ磁気カードが挿入された時、カードリーダ１００に設けられた、磁気カードの挿入によって迫上がるレバーの迫上がりを検知することで、磁気カードを検知するものであっても良い。
リアセンサ１２０は、カードリーダ１００への磁気カードの挿入が完了したときに磁気カードを検知可能な位置に設けられ、磁気カードを検知する第２の検知部である。リアセンサ１２０は、カードリーダ１００への磁気カードの挿入が完了した時、磁気カードによってＩＣ（Ｉｎｔｅｇｒａｔｅｄ  Ｃｉｒｃｕｉｔ）接点ブロックが押し込まれることで磁気カードの挿入が完了したことを検知するものであっても良い。
磁界発生部１４０は、磁気カードの挿入口付近で所定の磁界を発生させる。この磁界は、磁気カードに記録されている情報を詐取するスキミングへの対応策として、カードリーダ１００のカード挿入口において発生する妨害磁界である。
制御部１３０は、フロントセンサ１１０の検知結果と、リアセンサ１２０の検知結果とに基づいて、磁界発生部１４０が発生させる磁界の強度を制御する。ここで制御部１３０は、磁界発生部１４０が発生させる磁界の強度を、第１の強度と第１の強度よりも強度の弱い第２の強度とに制御する。この制御は、磁界発生部１４０に印加する電圧の制御、または磁界発生部１４０に流す電流の制御を用いて行われるものであっても良い。なお、以下の説明において、第１の強度の磁界を強磁界と称し、第２の強度の磁界を弱磁界と称する。
【００２１】
以下に、制御部１３０における制御をさらに詳細に説明する。制御部１３０は、リアセンサ１２０が磁気カードを検知した後、リアセンサ１２０が磁気カードを検知しなくなってから所定の期間（第１の期間）が経過するまでの間、磁界発生部１４０が発生させる磁界を弱磁界に制御する。また、制御部１３０は、リアセンサ１２０が磁気カードを検知した後、リアセンサ１２０が磁気カードを検知しなくなってからフロントセンサ１１０が磁気カードを検知すると、フロントセンサ１１０が磁気カードを検知しなくなるまで、磁界発生部１４０が発生させる磁界を弱磁界に制御する。また、制御部１３０は、磁気カードが挿入されてフロントセンサ１１０が磁気カードを検知すると、所定の期間（第２の期間）が経過するまでの間、磁界発生部１４０が発生させる磁界を弱磁界に制御する。また、制御部１３０は、フロントセンサ１１０が磁気カードを検知した後、リアセンサ１２０が磁気カードを検知すると、磁界発生部１４０が発生させる磁界を強磁界に制御する。また、制御部１３０は、リアセンサ１２０が磁気カードを検知してから所定の期間（第３の期間）が経過するまでの間にフロントセンサ１１０が磁気カードを検知した場合、磁界発生部１４０が発生させる磁界を弱磁界に制御する。
【００２２】
図２は、図１に示したカードリーダ１００の外観の一例を示す図である。図１に示したカードリーダ１００の筐体１５０には図２に示すように、媒体である磁気カード２００が挿入される挿入口１７０に切欠部１６０が設けられ、磁気カード２００を手動で挿入および引き抜きが可能となっている。筐体１５０内には、フロントセンサ１１０と、リアセンサ１２０と、磁界発生部１４０と、磁気ヘッド１８０とが設けられている。フロントセンサ１１０、リアセンサ１２０および磁界発生部１４０は、図１に示したものである。磁気ヘッド１８０は、磁気カード２００が筐体１５０に挿入された状態で、磁気カード２００に設けられた磁気ストライプ２１０から情報を読み取る、または磁気ストライプ２１０へ情報を書き込む。本実施の形態においては、磁気ヘッド１８０は、磁気カード２００がカードリーダ１００から引き抜かれる時に、磁気カード２００の磁気ストライプ２１０から情報を読み取る。また、本実施の形態においては、磁気ヘッド１８０は、磁気カード２００がカードリーダ１００から引き抜かれる時に、磁気カード２００の磁気ストライプ２１０へ情報を書き込む。また、磁気カード２００がカードリーダ１００へ挿入される時に、磁気ヘッド１８０が磁気ストライプ２１０から情報を読み取ったり、磁気ストライプ２１０へ情報を書き込んだりしても良い。なお、図１に示した制御部１３０は図２には図示していないが、フロントセンサ１１０、リアセンサ１２０および磁界発生部１４０と同様に、筐体１５０内に具備されている。また、フロントセンサ１１０の位置とリアセンサ１２０の位置との間の距離は、挿入される正規の磁気カードの挿入方向の長さと同じである。
【００２３】
ここで、第１の強度および第２の強度について説明する。第１の強度は、スキミングへの対応策として発生させる妨害磁界の十分な強度である。また、第２の強度は、磁気ヘッド１８０が磁気カード２００の磁気ストライプ２１０から情報を読み出すまたは磁気ストライプ２１０へ情報を書き込む動作に影響を与えない磁界の強度である。第２の強度は、その強さが「０（ゼロ）」に近い値のものまたは「０」であっても良い。
【００２４】
以下に、図１に示したカードリーダ１００における制御方法について説明する。図３は、図１に示したカードリーダ１００における制御方法の一例を説明するためのフローチャートである。
【００２５】
まず、制御部１３０が、磁界発生部１４０から発生させる磁界を強磁界に設定し、磁界発生部１４０が磁界を発生させる（ステップＳ１）。その後、磁気カード２００がカードリーダ１００の筐体１５０に挿入されると、フロントセンサ１１０が磁気カード２００を検知したかどうかを判定する（ステップＳ２）。ここで、フロントセンサ１１０が磁気カード２００を検知したことが、磁気カード２００がカードリーダ１００の筐体１５０に挿入されたことによるものかどうかは、例えば、フロントセンサ１１０とリアセンサ１２０とのいずれもが磁気カード２００を検知しなくなってから所定の期間が経過した後にフロントセンサ１１０が磁気カードを検知した場合等、そのときまでの検知状況に基づいて判定するものであっても良い。フロントセンサ１１０が磁気カード２００を検知した場合であって、磁気カード２００の挿入時に磁気ストライプ２１０から情報を読み取ったり、磁気ストライプ２１０へ情報を書き込んだりする場合は、制御部１３０が、磁界発生部１４０から発生させる磁界を弱磁界に設定する（ステップＳ３）。続いて、リアセンサ１２０が磁気カード２００を検知したかどうかを判定する（ステップＳ４）。リアセンサ１２０が磁気カード２００を検知した場合、制御部１３０は、磁気カード２００のカードリーダ１００への挿入が完了したと判定し、磁界発生部１４０から発生させる磁界を強磁界に設定する（ステップＳ５）。なお、ステップＳ４にて、リアセンサ１２０が磁気カード２００を検知しない場合であっても、フロントセンサ１１０が磁気カード２００を検知してから所定の期間（第２の期間）が経過すると、制御部１３０が、磁界発生部１４０から発生させる磁界を強磁界に設定するものであっても良い。
【００２６】
その後、リアセンサ１２０が磁気カード２００を検知しなくなったかどうかを判定する（ステップＳ６）。このステップＳ６の処理は、カードリーダ１００からの磁気カード２００の引き抜きが開始されたかどうかを判定するためのものである。つまり、カードリーダ１００からの磁気カード２００の引き抜きが開始されると、これまで磁気カード２００を検知していたリアセンサ１２０が磁気カード２００の検知しなくなる。ステップＳ６の処理でリアセンサ１２０が磁気カード２００を検知しなくなった場合、制御部１３０は、磁界発生部１４０から発生させる磁界を弱磁界に設定する（ステップＳ７）。また、制御部１３０は、リアセンサ１２０が磁気カード２００を検知しなくなってから、所定の期間（第１の期間）が経過したかどうかを判定する（ステップＳ８）。所定の期間（第１の期間）が経過していない場合、制御部１３０は、磁気カード２００がカードリーダ１００からまだ引き抜かれていないと判定し、磁界発生部１４０から発生させる磁界を弱磁界に維持する。この磁界を維持する処理は、リアセンサ１２０が磁気カード２００を検知しなくなった後、フロントセンサ１１０が磁気カード２００をまだ検知していない状態では、磁気カード２００を検知する２つのセンサが磁気カード２００を検知していないことにより磁気カード２００がカードリーダ１００の筐体１５０に挿入されていない（筐体１５０からの引き抜かれが完了した）と判定してしまうとことで、磁界発生部１４０から発生させる磁界を強磁界に設定してしまうことを防ぐための処理である。
【００２７】
所定の期間（第１の期間）が経過すると、フロントセンサ１１０が磁気カード２００を検知したかどうかを判定する（ステップＳ９）。なお、第１の時間が経過する前にフロントセンサ１１０が磁気カード２００を検知するケースがある。そのため、ステップＳ７の処理の後、ステップＳ８の処理を行わずに、ステップＳ９の処理を行うものであっても良い。フロントセンサ１１０が磁気カード２００を検知した場合、その後、フロントセンサ１１０が磁気カード２００を検知しなくなったかどうかを判定する（ステップＳ１０）。フロントセンサ１１０が磁気カード２００を検知しなくなった場合、制御部１３０は、磁気カード２００がカードリーダ１００の筐体１５０から引き抜かれたと判定し、磁界発生部１４０から発生させる磁界を強磁界に設定する（ステップＳ１１）。なお、制御部１３０は、リアセンサ１２０が磁気カード２００を検知してから、磁気カード２００を検知しなくならなくても所定の期間（第３の期間）が経過するまでの間にフロントセンサ１１０が磁気カード２００を検知した場合、磁界発生部１４０が発生させる磁界を弱磁界に設定するものであっても良い。これにより、正規のサイズ（長さ）よりも長い磁気カード２００が挿入されたような場合等にも対応可能となる。
【００２８】
一方、ステップＳ９にて、リアセンサ１２０が磁気カード２００を検知しなくなってから所定の期間が経過しても、フロントセンサ１１０が磁気カード２００を検知しない場合、ステップＳ１１にて、制御部１３０は、磁界発生部１４０から発生させる磁界を強磁界に設定する。
【００２９】
このように、本形態においては、カードリーダ１００の筐体１５０に挿入された磁気カード２００が、手動で引き抜きが開始されることでリアセンサ１２０が磁気カード２００を検知しなくなってから、所定の期間は、制御部１３０は、磁気カード２００がカードリーダ１００の筐体１５０内に挿入されていると判定し、磁界発生部１４０から発生させる磁界を弱磁界に維持する。そのため、磁気カード２００を検知する２つのセンサが磁気カード２００を検知しないタイミングが発生するような正規のサイズ以外のサイズである磁気カード２００が挿入され、引き抜かれた場合であっても、磁気カード２００がカードリーダ１００の筐体１５０に挿入されていない（筐体１５０からの引き抜かれが完了した）と判定してしまうということを防ぎ、磁気カード２００の見失いを防止することができる。正規のサイズ以外のサイズである磁気カードとは、正規のサイズ（長さ）よりも長さの短い磁気カードや、角部が欠けた磁気カード、角の丸みを示すＲが規格外である磁気カード等である。また、磁気カード２００の見失いを防止することで、磁気カード２００からの情報の読み取り処理の中断を防ぐことができ、読み取り性能を向上させることができる。また、磁気カード２００への処理が妨害磁界の影響を受けることを避けることができる。
【００３０】
以上、各構成要素に各機能（処理）それぞれを分担させて説明したが、この割り当ては上述したものに限定しない。また、構成要素の構成についても、上述した形態はあくまでも例であって、これに限定しない。また、本発明は、自動で磁気カードを搬送するカードリーダ１００にも適用可能である。
【符号の説明】
【００３１】
１００    カードリーダ
１１０    フロントセンサ
１２０    リアセンサ
１３０    制御部
１４０    磁界発生部
１５０    筐体
１６０    切欠部
１７０    挿入口
１８０    磁気ヘッド
２００    磁気カード
２１０    磁気ストライプ
【図１】
2020113357.tif 000003
【図２】
2020113357.tif 000004
【図３】
2020113357.tif 000005